(57)【要約】【課題】電池で動作する装置の残りの稼動量および稼動時間を容易に認識可能な電源システムを提供する。【解決手段】電池を備えた電池ユニットと、電池ユニットを装着して電池を電源として動作する装置本体とを有し、電池ユニットと装置本体との間で情報の授受を行う電源システムであって、装置本体から電池ユニットへ所定の周期で装置本体の稼動量を送り、電池ユニットで、装置本体の稼動量を積算して記憶するとともに、装置本体による電池の消費容量を検出し、電池ユニットから装置本体へ所定の周期で稼動量積算値、電池の消費容量および充電容量を送り、装置本体で、電池の消費容量と充電容量とに基づいて電池の使用割合と装置本体の稼動量積算値とを表示する。【選択図】  図３
2004294723.tif 000002
【特許請求の範囲】
【請求項１】
電池を備えた電池ユニットと、前記電池ユニットを装着して前記電池を電源として動作する装置本体とを有し、前記電池ユニットと前記装置本体との間で情報の授受を行う電源システムであって、
前記装置本体から前記電池ユニットへ所定の周期で前記装置本体の稼動量を送り、
前記電池ユニットで、前記装置本体の稼動量を積算して記憶するとともに、前記装置本体による前記電池の消費容量を検出し、前記電池ユニットから前記装置本体へ所定の周期で前記稼動量積算値、前記電池の消費容量および充電容量を送り、
前記装置本体で、前記電池の消費容量と充電容量とに基づいて前記電池の使用割合と前記装置本体の稼動量積算値とを表示することを特徴とする電源システム。
【請求項２】
請求項１に記載の電源システムにおいて、
消費電力に応じて前記装置本体の動作モードを類別し、前記装置本体から前記電池ユニットへ動作モードごとの稼動量を送り、前記電池ユニットで前記装置本体の動作モードごとの稼動量を積算して記憶するとともに、前記電池ユニットから前記装置本体へ動作モードごとの稼動量積算値を送り、前記装置本体で前記電池の使用割合と前記装置本体の動作モードごとの稼動量積算値を表示することを特徴とする電源システム。
【請求項３】
請求項１または請求項２に記載の電源システムにおいて、
前記電池ユニットは充電装置により前記電池の充電を可能とし、前記電池ユニットと前記充電装置との間で情報の授受を行う電源システムであって、
前記充電装置による前記電池の充電時に、前記電池ユニットに記憶されている前記稼動量積算値を０にリセットすることを特徴とする電源システム。
【請求項４】
請求項１に記載の電源システムにおいて、
前記電池ユニットは充電装置により前記電池の充電を可能とし、前記電池ユニットと前記充電装置との間で情報の授受を行う電源システムであって、
前記電池ユニットで前記電池の充電容量を検出して前記充電装置へ送り、
前記充電装置で、前記電池ユニットから送られた充電容量に基づいて前記電池が満充電状態にあるか否かを判定し、満充電状態になると前記電池の充電を終了し、
前記電池ユニットで、前記電池の充電終了時に前記電池ユニットに記憶されている消費容量を０にリセットすることを特徴とする電源システム。
【請求項５】
請求項１〜４のいずれかの項に記載の電源システムにおいて、
前記装置本体はカメラであり、前記稼動量はカメラの撮影コマ数であることを特徴とする電源システム。
【請求項６】
請求項１〜４のいずれかの項に記載の電源システムにおいて、
前記装置本体はカメラであり、前記稼動量はカメラの使用時間であることを特徴とする電源システム。
【発明の詳細な説明】
【０００１】
【発明の属する技術分野】
本発明は、電池で動作するカメラなどの装置における電池の使用状況を表示する電源システムに関する。
【０００２】
【従来の技術】
バッテリーの残容量と１コマ撮影に要する消費容量とに基づいて撮影可能な残コマ数を計算し、表示するようにしたカメラの電源システムが知られている（例えば、特許文献１参照）。
【０００３】
この出願の発明に関連する先行技術文献としては次のものがある。
【特許文献１】
特開平１０−３４１５３６号公報
【０００４】
【発明が解決しようとする課題】
ところが、例えば電子スチルカメラにおいては、シャッターレリーズの半押し時間、ストロボ使用の有無、記録画像サイズ、モニター画像表示の有無などによって１コマ撮影時の電池の消費容量が大きく異なるため、上述した従来のカメラの電源システムでは撮影可能な残コマ数を正確に算出できないという問題がある。
【０００５】
本発明は、電池で動作する装置の残りの稼動量および稼動時間を容易に認識可能な電源システムを提供するものである。
【０００６】
【課題を解決するための手段】
（１）  請求項１の発明は、電池を備えた電池ユニットと、電池ユニットを装着して電池を電源として動作する装置本体とを有し、電池ユニットと装置本体との間で情報の授受を行う電源システムであって、装置本体から電池ユニットへ所定の周期で装置本体の稼動量を送り、電池ユニットで、装置本体の稼動量を積算して記憶するとともに、装置本体による電池の消費容量を検出し、電池ユニットから装置本体へ所定の周期で稼動量積算値、電池の消費容量および充電容量を送り、装置本体で、電池の消費容量と充電容量とに基づいて電池の使用割合と装置本体の稼動量積算値とを表示する。
（２）  請求項２の電源システムは、消費電力に応じて装置本体の動作モードを類別し、装置本体から電池ユニットへ動作モードごとの稼動量を送り、電池ユニットで装置本体の動作モードごとの稼動量を積算して記憶するとともに、電池ユニットから装置本体へ動作モードごとの稼動量積算値を送り、装置本体で電池の使用割合と装置本体の動作モードごとの稼動量積算値を表示する。
（３）  請求項３の電源システムは、電池ユニットは充電装置により電池の充電を可能とし、電池ユニットと充電装置との間で情報の授受を行う電源システムであって、充電装置による電池の充電時に、電池ユニットに記憶されている稼動量積算値を０にリセットする。
（４）  請求項４の電源システムは、電池ユニットは充電装置により電池の充電を可能とし、電池ユニットと充電装置との間で情報の授受を行う電源システムであって、電池ユニットで電池の充電容量を検出して充電装置へ送り、充電装置で、電池ユニットから送られた充電容量に基づいて電池が満充電状態にあるか否かを判定し、満充電状態になると電池の充電を終了し、電池ユニットで、電池の充電終了時に電池ユニットに記憶されている消費容量を０にリセットする。
（５）  請求項５の電源システムは、装置本体はカメラであり、稼動量はカメラの撮影コマ数である。
（６）  請求項６の電源システムは、装置本体はカメラであり、稼動量はカメラの使用時間である。
【０００７】
【発明の実施の形態】
本願発明を電子スチルカメラに適用した一実施の形態を説明する。なお、本願発明は２次電池で動作するあらゆる機器および装置に適用することができる。
【０００８】
図１は一実施の形態の電子スチルカメラの構成を示す。カメラ本体１０には２次電池ユニット３０が装着される。カメラ本体１０は、撮影レンズ１１、絞り１２、シャッター１３、撮像素子１４、撮像素子１４の出力を相関二重サンプリングしてデジタル値に変換するＣＤＳ・Ａ／Ｄ変換部１５、画像処理部１６、撮像した画像を表示する表示制御部１７、画像表示用ＬＣＤ１８、撮像素子１４とＣＤＳ・Ａ／Ｄ変換部１５の動作タイミングを制御するタイミングジェネレーター１９、撮像系の機器および回路を制御するコントローラー２０、画像データを記録する画像メモリ２１、モータードライバー２２、撮影レンズ１１のフォーカシングレンズを駆動するＡＦモーター２３、絞り制御用アクチュエーター２４、シャッター制御用アクチュエーター２５、撮影系の機器および回路を制御するカメラコントローラー２６、シャッターレリーズなどの操作入力部２７、露出などを表示する表示出力部２８、カメラ本体１０に必要な電圧を発生するＤＣ／ＤＣコンバーター２９などを備えている。
【０００９】
一方、２次電池ユニット３０は、電池の消費容量や充電容量などを管理する電池コントローラー３１、カメラの使用状況の積算値、電池の消費容量や充電容量などを記憶するメモリ３２、電池の消費容量や充電容量を計測する容量演算素子３３、電池セル３４、電池の消費電流および充電電流を検出する抵抗器３５などを備えている。
【００１０】
２次電池ユニット３０がカメラ本体１０に装着されると、２次電池ユニット３０の電池セル３４が抵抗器３５を介してカメラ本体１０のＤＣ／ＤＣコンバーター２９に接続されるとともに、電池コントローラー３１とカメラコントローラー２６とが通信ラインを介して接続される。
【００１１】
ここで、電子スチルカメラの使用状況とは、レリーズ回数、電源オン時間（使用時間）、撮影レンズのフォーカシング時間、画像表示時間など、電池ユニット３０の電力消費をともなうカメラの動作状態である。これらのカメラの使用状況の内の例えばレリーズ回数など、少なくとも１種類あるいは複数種類を所定の周期でカメラコントローラー２６から電池コントローラー３１へ送る。電池コントローラー３１では、受信した使用状況をメモリ３２に積算し、積算した使用状況をふたたびカメラコントローラー２６へ送る。
【００１２】
２次電池ユニット３０では、容量演算素子３３により消費電流を検出して電池の消費容量を演算する。電池セル３４からカメラ本体１０のＤＣ／ＤＣコンバーター２９へ流れる電流、すなわちカメラ本体１０の消費電流は抵抗器３５を通って流れ、抵抗器３５の両端に消費電流に比例した電圧（＝消費電流×抵抗値）が発生する。一般に電池の容量は［ｍＡＨ］という単位で表され、ある電流を流し続けられる時間として定義されるから、抵抗器３５の両端電圧を計測することによって消費電流を検出でき、この消費電流を時間積分することによってカメラ本体１０における電池の消費容量を知ることができる。容量演算素子３３により検出された電池の消費容量は、電池コントローラー３１を介してメモリ３２に記憶される。
【００１３】
カメラ本体１０のカメラコントローラー２６と２次電池ユニット３０の電池コントローラー３１は、図２に示すように所定周期でデータ通信を行う。カメラ本体１０から２次電池ユニット３０へは、（ａ）に示すように所定周期でカメラ本体１０の上述した使用状況が送られる。ここで、所定周期でカメラ本体１０から２次電池ユニット３０へ送られる使用状況は、前回の使用状況送信後から今回の使用状況送信までの間の値である。例えば使用状況としてレリーズ回数を送信する場合には、前回の送信後から今回の送信までの間のレリーズ回数である。
【００１４】
カメラ本体１０から２次電池ユニット３０へ送られた使用状況は、電池コントローラー３１により、メモリ３２に記憶されている前回の使用状況受信時までの使用状況積算値に加算される。例えば使用状況としてレリーズ回数を受信した場合には、メモリ３２に記憶されている前回受信時までのレリーズ回数積算値に今回受信したレリーズ回数が加算される。
【００１５】
カメラ本体１０から２次電池ユニット３０へ使用状況などの情報が送られた後、２次電池ユニット３０では、カメラの使用状況の積算と電池の消費容量の演算などの処理を行い、それらの処理後にカメラ本体１０へ使用状況積算値などの情報を送る。２次電池ユニット３０からカメラ本体１０へは、メモリ３２に記憶されている使用状況積算値と、２次電池ユニット３０で演算された上記消費容量と２次電池ユニット３０の充電容量が送られる。
【００１６】
ここで、２次電池ユニット３０の充電容量は満充電容量であり、電池セル３４の規定容量をそのまま充電容量としてもよいし、経年劣化による充電可能な容量低下に応じて規定容量を低減した値としてもよい。
【００１７】
図２において、カメラ本体１０から２次電池ユニット３０への通信時▲１▼にレリーズ回数として２回が送られ、以下順に通信時▲２▼に３回、通信時▲３▼に０回、通信時▲４▼に２回のレリーズ回数が送られたとすると、２次電池ユニット３０からカメラ本体１０への通信時▲１▼’に積算結果のレリーズ回数の２回が送られ、以下順に通信時▲２▼’に５回、通信時▲３▼’に５回、通信時▲４▼’に７回の積算結果のレリーズ回数が送られる。
【００１８】
ここで、カメラ本体１０と２次電池ユニット３０との間の定期的な通信周期は通常、例えば数秒である。使用状況の中にはこの通信周期よりも長い時間継続する使用状況がある。例えば電源オン時間（使用時間）は十数秒から数十秒になる。このように定期的な通信周期よりもはるかに長い時間継続するような使用状況を、定期的な通信時に送信していると累積誤差を生じる可能性がある。したがって、定期的な通信周期より長い適当な電源オン時間などの使用状況については、定期的な通信周期よりも長い時間ごとにまとめて送ってもよいし、あるいは電源をオフした時点でまとめて送るようにしてもよい。
【００１９】
カメラ本体１０のカメラコントローラー２６は、操作入力部２７により電池情報の表示要求がなされると、２次電池ユニット３０から受信した使用状況積算値と、電池の消費容量および満充電容量に基づいて、図３に示すような２次電池ユニット３０に関する情報を表示する。電池使用量については、満充電容量に対する消費容量の割合を棒グラフと％で表す。図３に示す例では、満充電容量の内の消費容量分が使用量として棒グラフで表示され、「３５％」の数値が表示されている。
【００２０】
使用状況については、２次電池ユニット３０の充電が完了して満充電状態でカメラ本体１０に装着されてから電池使用量３５％までの、レリーズ回数積算値「２５３コマ」と、電源オン時間が使用時間「３５分４０秒」として表示されている。
【００２１】
図３に示す電池情報では、満充電状態から現在までの電池の使用量「３５％」とともに、満充電状態から現在までのカメラのレリーズ回数「２５３コマ」および使用時間「３５分４０秒」を表示するので、電池使用量３５％に対して２５３コマの撮影と３５分余りの使用時間が実績として認識できる。この満充電状態から現在までの電池使用量に対するカメラの使用実績（稼動実績）から、電池残量６５％における撮影可能コマ数（稼動量）とカメラの使用時間を容易に推測できる。つまり、この一実施の形態によれば、あとどのくらいのコマ数を撮影できるか、そしてあとどのくらいの時間カメラを使用できるかを、容易に判断できる。
【００２２】
図４は、所定の周期で行われるカメラ本体１０と２次電池ユニット３０の処理を示すフローチャートである。このフローチャートにより、一実施の形態のカメラ本体１０と２次電池ユニット３０の動作を説明する。
【００２３】
カメラ本体１０のカメラコントローラー２６は、所定の周期で図４（ａ）に示す処理を実行する。ステップ１において、２次電池ユニット３０との前回の通信時から今回の通信時までのカメラの使用状況、例えばレリーズ回数などを２次電池ユニット３０へ送信する。
【００２４】
２次電池ユニット３０の電池コントローラー３１は、カメラ本体１０からカメラの使用状況を受信すると図４（ｂ）に示す処理を実行する。ステップ１１で前回の通信時から今回の通信時までのカメラの使用状況を受信した後、ステップ１２へ進み、カメラ本体１０との前回の通信時にメモリ３２に記憶した使用状況積算値に今回受信した使用状況を加算し、ふたたびメモリ３２に記憶して使用状況積算値を更新する。
【００２５】
続くステップ１３において、前回の通信時から今回の通信時までの電池の消費容量を上述した方法で計算する。そして、前回の通信時にメモリ３２に記憶した消費容量に今回算出した消費容量を加算し、ふたたびメモリ３２に記憶して消費容量を更新する。ステップ１４で、メモリ３２から現在までのカメラの使用状況積算値と電池の消費容量および満充電容量を読み出し、カメラ本体１０へ送信する。
【００２６】
カメラ本体１０のカメラコントローラー２６は、ステップ２で、２次電池ユニット３０から現在までのカメラの使用状況積算値と電池の消費容量および満充電容量を受信する。続くステップ３では、電池の満充電容量に対する現在までの電池の消費容量の割合を計算し、電池の使用量を求める。ステップ４で、操作入力部２７により２次電池ユニット３０に関する情報の表示要求の有無を確認し、表示要求があるとステップ５へ進む。
【００２７】
ステップ５において、図３に示すように、電池の使用量、すなわち満充電容量に対する消費容量の割合を棒グラフと％で表示するとともに、満充電状態の電池ユニット３０をカメラ本体１０へ装着してから現在までのカメラの使用状況（稼動実績）、ここではレリーズ回数と使用時間（電源オン時間）を表示する。
【００２８】
次に、２次電池ユニット３０の充電について説明する。図５は２次電池ユニット３０をチャージャー４０に接続した状態を示す。チャージャー４０は、ＡＣ電源電圧を整流して２次電池ユニット３０の電池セル３４を充電するとともに、チャージャー４０自体に電源を供給する電源回路４１、充電状態を表示するＬＥＤなどの表示装置４２、２次電池ユニット３０の電池コントローラー３１と通信を行って充電を管理するチャージコントローラー４３、ＡＣ電源に接続するためのＡＣプラグ４４などを備えている。
【００２９】
２次電池ユニット３０がチャージャー４０に接続され、ＡＣプラグ４４がＡＣ電源コンセント（不図示）に接続されると、電池セル３４の充電が開始される。チャージャー４０の電源回路４１から２次電池ユニット３０の電池セル３４への充電電流は、抵抗器３５を通って流れ、抵抗器３５の両端に充電電流に比例した電圧（＝充電電流×抵抗値）が発生する。したがって、上述した消費容量の計測と同様に、電池ユニット３０の充電時に抵抗器３５の両端電圧を計測することによって充電電流を検出でき、この充電電流を時間積分することによって電池セル３４の充電容量を知ることができる。容量演算素子３３により検出された電池セル３４の充電容量は、電池コントローラー３１を介してチャージャー４０のチャージコントローラー４３へ送られ、チャージコントローラー４３は充電容量に基づいて電源回路４１を制御し、電池ユニット３０の充電を管理する。
【００３０】
ここで、２次電池ユニット３０をチャージャー４０に接続すると、チャージコントローラー４３は電池コントローラー３１へメモリ３２の使用状況クリアコマンドを送る。この使用状況クリアコマンドを受信した電池コントローラー３１は、メモリ３２に記憶されているレリーズ回数や電源オン時間などの使用状況積算値を０にリセットする。なお、電池コントローラー３１が２次電池ユニット３０のチャージャー４０への接続を認識した時点で、メモリ３２に記憶されている使用状況積算値をリセットするようにしてもよい。
【００３１】
チャージコントローラー４３は、電池コントローラー３１から送られた充電容量に基づいて２次電池セル３４の満充電まで充電されたか否かを判定し、２次電池セル３４が満充電状態になったら電源回路４１の作動を停止して充電を終了するとともに、表示装置４２により充電完了を報知する。満充電状態まで充電されたか否かの判定は、充電容量が消費容量と等しくなった時点において満充電状態と判定すればよい。あるいは充電電流が所定値以下の電流になったら、満充電状態と判定してもよい。
【００３２】
チャージコントローラー４３はまた、充電完了後に電池コントローラー３１へメモリ３２の消費容量クリアコマンドを送る。この消費容量クリアコマンドを受信した電池コントローラー３１は、メモリ３２に記憶されている消費容量を０にリセットする。なお、２次電池３０がチャージャー４１に接続されたら満充電状態まで充電が行われることを前提にして、便宜的に２次電池３０がチャージャー４１に接続された時点でメモリ３２の消費容量をリセットするようにしてもよい。
【００３３】
図５は２次電池ユニットの充電動作を示すフローチャートである。（ａ）はチャージャー４０のチャージコントローラー４３で実行される処理を示し、（ｂ）は電池ユニット３０の電池コントローラー３１で実行される処理を示す。
【００３４】
チャージャー４０のチャージコントローラー４３は、ステップ２１で２次電池ユニット３０が接続されたか否かを確認する。２次電池ユニット３０のチャージャー４０への接続は、電池コントローラー３１との間で通信を行い、通信可能であれば２次電池ユニット３０が接続されたと判断する。２次電池ユニット３０がチャージャー４０に接続されると、ステップ２２で使用状況クリアコマンドを電池コントローラー３１へ送信する。
【００３５】
２次電池ユニット３０の電池コントローラー３１は、チャージコントローラー４３から使用状況クリアコマンドを受信すると、ステップ３１でメモリ３２に記憶されている使用状況積算値を０にリセットする。
【００３６】
チャージコントローラー４３は、ステップ２３で電源回路４１を作動させて電池セル３４の充電を開始する。充電が開始されると、電池コントローラー３１は、ステップ３２で容量演算素子３３により充電容量の計測を開始し、続くステップ３３で計測結果の充電容量をチャージコントローラー４３へ送信する。なお、充電容量の計測は所定時間ごとに行えばよい。
【００３７】
チャージコントローラー４３は、ステップ２４で、電池コントローラー３１から送られた充電容量に基づいて電池セル３４が満充電状態になったか否かを判定する。満充電状態まで充電されたことを確認したらステップ２５へ進み、電源回路４１による充電を終了させるともに、表示装置４２により充電完了表示を行う。そして、ステップ２６で、電池コントローラー３１へ消費容量クリアコマンドを送信する。
【００３８】
電池コントローラー３１は、チャージコントローラー４３から消費容量クリアコマンドを受信すると、ステップ３４でメモリ３２に記憶されている消費容量を０にリセットする。
【００３９】
このように、２次電池ユニット３０の充電を行うたびに、２次電池ユニット３０のメモリ３２に記憶されている使用状況積算値と消費容量を０にリセットするようにしたので、充電完了後の満充電状態の２次電池ユニット３０をカメラ本体１０に装着した後、満充電時の２次電池ユニット３０の満充電容量から改めて使用状況積算値と消費容量の計測を開始することができ、正確な電池情報を検出できる。
【００４０】
以上説明したように、一実施の形態によれば、満充電状態から現在までの電池の満充電容量に対する使用量、すなわち電池の使用割合と、満充電状態から現在までのカメラの稼動量とを表示するようにしたので、現在までの使用方法であとどのくらい稼動できるか、つまりあとどのくらいのコマ数を撮影できるか、あとどのくらいの時間カメラを使用できるかを、正確にかつ容易に判断できる。つまり、利用者に対して２次電池で動作する装置の残りの稼動量および稼動時間を容易にかつ正確に認識させることができる。
【００４１】
その上、電池の消費容量とカメラの使用状況積算値（装置の稼動量）とを２次電池ユニット３０に記憶するようにしたので、途中で２次電池ユニット３０を取り外した後、ふたたびその２次電池ユニット３０をカメラに装着した場合でも正確な電池情報を表示することができる。
【００４２】
さらに、２次電池ユニット３０の充電を行ったときに２次電池ユニット３０に記憶されている電池の消費容量とカメラの使用状況積算値（装置の稼動量）を０にリセットするようにしたので、正確な電池情報を検出して表示することができる。
【００４３】
なお、上述した一実施の形態では、充電時には電池セル３４が満充電状態まで充電されることを前提にし、電池ユニット３０からカメラ本体１０へ送られる電池の充電容量は満充電容量であるとして説明した。しかし、電池ユニット３０のメモリ３２には消費容量が記憶されており、また充電時には充電容量を把握できるのであるから、何らかの理由で満充電状態まで充電されずに途中で充電が打ち切られた場合でも、前回充電時の満充電容量から消費容量を減じて電池の残容量を求め、その残容量に今回充電した容量を加えて充電中断時の電池の充電容量を求めることができる。そして、カメラ本体１０では、充電中断時の電池ユニット３０の充電容量に対する消費容量の割合を求め、棒グラフと％表示を行えばよい。充電容量が満充電容量でなくても、充電を中断して装着した電池ユニット３０の充電容量に対する使用量と、充電を中断して電池ユニット３０を装着してからのカメラの使用状況（稼動量）を表示することができるから、現在までの使用方法であとどのくらい稼動できるか、つまりあとどのくらいのコマ数を撮影できるか、あとどのくらいの時間カメラを使用できるかを、正確にかつ容易に判断できる。
【００４４】
また、満充電状態まで充電されずに充電が中断された場合には、電池ユニット３０のメモリ３２に記憶されている消費容量から充電中断時の充電容量を減じ、上述した一実施の形態と同様に、満充電容量に対する消費容量として電池の使用割合を求めてもよい。
【００４５】
上述した一実施の形態では２次電池３０からカメラ本体１０へ電池の消費容量を送る例を示したが、充電容量から消費容量を減じて電池の残容量を求め、残容量と充電容量をカメラ本体１０へ送るようにしてもよい。また、上述した一実施の形態ではカメラ本体１０で電池の消費容量と充電容量とに基づいて電池の使用割合を算出する例を示したが、この電池の使用割合を電池ユニット３０で算出し、算出結果をカメラ本体１０へ送るようにしてもよい。
【００４６】
上述した一実施の形態では、カメラの稼動量として撮影コマ数と使用時間（電源オン時間）を表示する例を示した。上述したように、カメラはその動作の種類、すなわち動作モードによって消費電力が大きく異なり、例えばモニターに画像を表示しながら撮影を行う撮影モードや、撮影した画像をモニターで再生する再生モードでは、モニター画像を表示しないで通常の撮影を行うモードに比べて消費電力が大きい。充電した電池を装着してからのカメラの使用時間を表示する場合に、モニター画像表示モードなどの消費電力が大きいモードと、通常の撮影モードとを別個に表示することによって、どうような動作モードでどの程度の時間使用したかを認識することができる。それによって、これから予定している使用方法であとどのくらいの時間使用できるかを正確にかつ容易に判断できる。
【００４７】
カメラまたは装置の使用時間をその動作モードごとに表示する場合には、消費電力に応じて動作モードを類別し、各動作モードごとの使用状況すなわち使用時間をカメラまたは装置から電池ユニットへ送り、電池ユニットで各動作モードごとに使用時間を積算する。そして、各動作モードごとの使用時間を電池ユニットからカメラまたは装置へ送り、充電後の電池を装着してからの電池の使用量（充電容量に対する消費容量の割合）と各動作モードごとの使用時間を表示する。
【００４８】
【発明の効果】
以上説明したように本発明によれば、電池で動作する装置の残りの稼動量および稼動時間を容易にかつ正確に認識させることができる。
【図面の簡単な説明】
【図１】一実施の形態の電子スチルカメラの構成を示す図である。
【図２】カメラ本体と２次電池ユニットとの間の通信タイミングを示す図である。
【図３】電池情報の表示例を示す図である。
【図４】カメラ本体と２次電池ユニットの電池情報の表示処理を示すフローチャートである。
【図５】２次電池ユニットの充電を行うチャージャーの構成を示す図である。
【図６】チャージャーと２次電池ユニットの充電処理を示すフローチャートである。
【符号の説明】
１０  カメラ本体
２６  カメラコントローラー
２７  操作入力部
２８  表示出力部
２９  ＤＣ／ＤＣコンバーター
３０  ２次電池ユニット
３１  電池コントローラー
３２  メモリ
３３  容量演算素子
３４  電池セル
３５  抵抗器
４０  チャージャー
４１  電源回路
４２  表示装置
４３  チャージコントローラー
４４  ＡＣプラグ
【図１】
2004294723.tif 000003
【図２】
2004294723.tif 000004
【図３】
2004294723.tif 000005
【図４】
2004294723.tif 000006
【図５】
2004294723.tif 000007
【図６】
2004294723.tif 000008